【手続補正書】
【提出日】平成17年5月13日(2005.5.13)
【手続補正１】
【補正対象書類名】明細書
【補正対象項目名】特許請求の範囲
【補正方法】変更
【補正の内容】
【特許請求の範囲】
【請求項１】
粉体を３０〜４０重量％含有する、固型のメークアップ化粧料に於いて、当該粉体が他の金属原子をドープしていても良い二酸化チタン、黄色酸化鉄、ベンガラ、紺青、群青、酸化クロム、水酸化クロム、赤色２０１号、赤色２０２号、赤色２２６号、黄色４号レーキ化物、黄色４０１号、青４０４号及びシリカ−チタンセリサイト−シリカ多層コーティング粉体から選ばれる１種乃至は２種以上のみであって、ジメチコンを１０〜１５重量％及び平均重合度２０以上３０以下のポリエチレン５〜１０重量％を含むことを特徴とする、メークアップ化粧料。
【請求項２】
１気圧２５℃で固体の油脂と１気圧２５℃で固体でない油脂を含み、１気圧２５℃で固体の油脂と１気圧２５℃で固体でない油脂の比が１５：８５〜２０：８０であることを特徴とする、請求項１に記載のメークアップ化粧料。
【請求項３】
１気圧２５℃で固体でない油脂として、液状ラノリンを１〜２重量％含有することを特徴とする、請求項１又は２に記載のメークアップ化粧料。
【請求項４】
シリカ−チタンセリサイト−シリカ多層コーティング粉体の含有量が１０重量％以下であることを特徴とする、請求項１〜３の何れか一項に記載のメークアップ化粧料。
【請求項５】
油脂として、脂肪酸トリグリセライドを含有しないことを特徴とする、請求項１〜４の何れか一項に記載のメークアップ化粧料。
【請求項６】
撮影用光源下用であることを特徴とする、請求項１〜５の何れか一項に記載のメークアップ化粧料。
【請求項７】
撮影用光源が、テレビ又は映画の撮影用光源であることを特徴とする、請求項６に記載のメークアップ化粧料。
【請求項８】
撮影用光源が、白熱灯であることを特徴とする、請求項６又は７に記載のメークアップ化粧料。
【手続補正２】
【補正対象書類名】明細書
【補正対象項目名】０００３
【補正方法】変更
【補正の内容】
【０００３】
一方、粉体を３０〜４０重量％含有する、固型のメークアップ化粧料に於いて、当該粉体が他の金属原子をドープしていても良い二酸化チタン、黄色酸化鉄、ベンガラ、紺青、群青、酸化クロム、水酸化クロム、赤色２０１号、赤色２０２号、赤色２２６号、黄色４号
レーキ化物、黄色４０１号、青４０４号及びシリカ−チタンセリサイト−シリカ多層コーティング粉体から選ばれる１種乃至は２種以上のみであって、ジメチコンを１０〜１５重量％及び重合度２０以上３０以下のポリエチレン５〜１０重量％を含む様な、メークアップ化粧料は知られておらず、従って、この様な化粧料が、撮影用光源下、好適な光学効果を有することも全く知られていなかった。
【手続補正３】
【補正対象書類名】明細書
【補正対象項目名】０００６
【補正方法】変更
【補正の内容】
【０００６】
【発明の実施の形態】
（１）本発明のメークアップ化粧料
本発明のメークアップ化粧料は、粉体を含有するメークアップ化粧料であって、当該粉体が他の金属原子をドープしていても良い二酸化チタン、黄色酸化鉄、ベンガラ、紺青、群青、酸化クロム、水酸化クロム、赤色２０１号、赤色２０２号、赤色２２６号、黄色４号レーキ化物、黄色４０１号、青４０４号及びシリカ−チタンセリサイト−シリカ多層コーティング粉体から選ばれる１種乃至は２種以上のみであって、ジメチコンを１０〜１５重量％及び重合度２０以上３０以下のポリエチレン５〜１０重量％を含むことを特徴とする。これは、通常は大きな光学効果を有さない、タルクやセリサイトなどの体質粉体が、撮影用光源下、取り分け、白熱灯下において光学的な作用を発揮するため、化粧料の鮮やかさが損なわれたり、重ね塗り部分が目立つようになったりする為であり、更には、油脂成分の組み合わせや油脂分と粉体との混合比なども影響するためである。ここで粉体としては、特に、タルク、セイサイト、マイカ等のような体質粉体は、通常の照明条件下では光学的にあまり寄与しないが、撮影用光源下になると大きな寄与をするようになり、これがメークアップ化粧料の鮮やかさを損なう様になる。従って、この様な粉体を含有することは本発明の化粧料においては好ましくない。体質粉体中で唯一本発明の化粧料に含有しうるのは、シリカ−チタンセリサイト−シリカ多層コーティング粉体である。この粉体は、球状シリカをチタンセリサイトでコーティングし更にそれをシリカゲルでコーティングしたものであって、この様な粉体としては、市販に触媒化成株式会社製のマルチプルビーズがある。本発明で、シリカ−チタンセリサイト−シリカ多層コーティング粉体を含有させる場合には、このものを使用するのが好ましい。このシリカ−チタンセリサイト−シリカ多層コーティング粉体の含有量は多くとも１０重量％であることが好ましい。これは、これ以上であると、光学効果を損なうことがあるからである。粉体中、二酸化チタンは他の金属でドープされているものを用いることもできる。ドープとは二酸化チタンの格子中に他の金属又はその酸化物が存在する形のものを言う。かかる他の金属としては、亜鉛、ジルコニウム、鉄、珪素、コバルト等が例示できる。この様なものとしては、例えば、石原産業株式会社製のタイペークＴＴＯ−Ｆ−１、ＴＴＯ−ＦＸ−２、ＴＴＯ−Ｆ−６等が市販品として例示できる。又、油脂成分中のジメチコンは、１０〜５０センチストークスのものが好ましく、好ましい含有量は、１０〜１５重量％、更に好ましくは１１〜１４重量％である。これは、撮影用光源の光に対して、この含有量のものが自然な艶を提供するからである。即ち、多すぎるとテカルし、少なすぎると艶が不十分になる。又、本発明のメークアップ化粧料はポリエチレンを含有することを必須とする。ポリエチレンとしては、平均重合度２０以上３０以下のものが適切である。これは、ポリエチレンであって、この重合度のものが、艶を維持しつつ、安定性上好ましい構造を作り出すからである。又、含有量としては、５〜１０重量％が好ましく、更に好ましくは６〜８重量％である。更に本発明では、液体ラノリンを含有することが、綺麗なつやを出すためには好ましく、かかる液体ラノリンの量としては、１〜２重量％含有することが好ましい。又、本発明の化粧料では、効果を発揮しながら安定性を保つために１気圧２５℃で固体の油脂と１気圧２５℃で固体でない油脂の比が１５：８５〜２０：８０であることが好ましく、１気圧２５℃で
固体の油脂と１気圧２５℃で固体でない油脂の比が１６：８４〜１９：８１であることが更に好ましい。これは、本発明の化粧料に好適な範囲が狭いからである。尚、本発明のメークアップ化粧料に用いる油脂としては、脂肪酸トリグリセライドを含有しないことが好ましい。これは、本発明のメークアップ化粧料の系では、脂肪酸トリグリセライドの艶がともすればべたつきになりがちであり、又、系の安定性を損ねる場合があるからである。本発明の化粧料では、本発明の効果を損ねない範囲に於いて、通常化粧料で使用される任意成分を含有することが出来る。かかる任意成分としては、例えば、ワセリンやマイクロクリスタリンワックス等のような炭化水素類、ホホバ油やゲイロウ等のエステル類、セタノール、オレイルアルコール等の高級アルコール類、ステアリン酸、オレイン酸等の脂肪酸、グリセリンや１，３−ブタンジオール等の多価アルコール類、非イオン界面活性剤、防腐剤、紫外線吸収剤、抗酸化剤類等が例示できる。本発明のメークアップ化粧料は上記成分を通常の方法に従って処理することにより得ることが出来る。本発明のメークアップ化粧料としては、メークアップ化粧料であれば特段の限定は受けず、例えば、ファンデーション、チークカラー、アイカラーなどが好適に例示でき、これらの内ではファンデーションが特に好適である。
【手続補正４】
【補正対象書類名】明細書
【補正対象項目名】０００９
【補正方法】変更
【補正の内容】
【０００９】
＜実施例１＞以下に示す処方に従って、ファンデーションを作製した。即ち、処方成分をダブルプラネタリーミキサーを用いて９０℃に加熱しながら、混合し、これをホットロールに２回かけ、金皿に充填し加温プレスし、ファンデーション１を得た。
カルナウバワックス                            １．８重量部
ポリエチレン（平均重合度２５）                ６．４重量部
マイクロクリスタリンワックス                  ３．２重量部
液状ラノリン                                  １．４重量部
セチルイソオクタネート                      ３９    重量部
ジメチコン（２０ｃ．ｓ．）                   １１    重量部
スクワラン                                    ３．７重量部
ソルビタンセスキオレート                      １．８重量部
二酸化チタン                                ２６．７重量部
黄色酸化鉄                                    ２．３重量部
ベンガラ                                      ２．２重量部
【手続補正５】
【補正対象書類名】明細書
【補正対象項目名】００１０
【補正方法】変更
【補正の内容】
【００１０】
＜実施例２＞以下に示す処方に従って、ファンデーションを作製した。即ち、処方成分をダブルプラネタリーミキサーを用いて９０℃に加熱しながら、混合し、これをホットロールに２回かけ、金皿に充填し加温プレスし、ファンデーション２を得た。
カルナウバワックス                            １．８重量部
ポリエチレン（平均重合度２５）                ６．４重量部
マイクロクリスタリンワックス                  ３．２重量部
液状ラノリン                                  １．４重量部
セチルイソオクタネート                      ３９    重量部
ジメチコン（２０ｃ．ｓ．）                   １１    重量部
スクワラン                                    ３．７重量部
ソルビタンセスキオレート                      １．８重量部
二酸化チタン                                ２０．７重量部
マルチプルビーズ                              ６    重量部
黄色酸化鉄                                    ２．３重量部
ベンガラ                                      ２．２重量部
【手続補正６】
【補正対象書類名】明細書
【補正対象項目名】００１１
【補正方法】変更
【補正の内容】
【００１１】
＜実施例３＞ファンデーション１とファンデーション２について、専門パネラーを用いて、撮影用光源下（白熱灯５００ルックス）での化粧の仕上がり評価と化粧直し評価を行った。仕上がり評価は艶の自然さと化粧映えについて評価し、化粧直しについては、化粧直し部分の目立ちについて評価した。評価基準は、＋＋：非常によい、＋：良い、±：やや良い、−：悪いであった。尚、比較例１〜６はファンデーション２のマルチプルビーズを表１に示す粉体に置換したものを用いた。結果を表２に示す。これより、本発明のメークアップ化粧料である、ファンデーション１及び２が撮影用光源下で優れた化粧効果を有することがわかる。又、撮影用光源下用のファンデーションとしてはいわゆる体質粉体を含まないことが必須条件であることもわかる。
【手続補正７】
【補正対象書類名】明細書
【補正対象項目名】００１４
【補正方法】変更
【補正の内容】
【００１４】
＜実施例４＞以下に示す処方に従って、ファンデーションを作製した。即ち、処方成分をダブルプラネタリーミキサーを用いて９０℃に加熱しながら、混合し、これをホットロールに２回かけ、金皿に充填し加温プレスし、ファンデーション３〜５を得た。本発明のメークアップ化粧料の必須成分であるジメチコンの量を減らした比較例７と増やした比較例８も作製し、実施例３と同様の評価を行った。結果を表３に記す。これより、本発明のメークアップ化粧料は、撮影用光源下のメークアップ化粧料として適切なこと及びジメチコンの好ましい含有量が１０〜１５重量部、更に好ましくは１１〜１４重量％であることもわかる。
カルナウバワックス                            １．８重量部
ポリエチレン（平均重合度２５）                ６．４重量部
マイクロクリスタリンワックス                  ３．２重量部
液状ラノリン                                  １．４重量部
セチルイソオクタネート（ＣＩＯ）＊
ジメチコン（２０ｃ．ｓ．）＊
スクワラン                                    ３．７重量部
ソルビタンセスキオレート                      １．８重量部
ドープ二酸化チタン                          ２０．７重量部
（タイペークＴＴＯ−Ｆ−６：石原産業株式会社製）
マルチプルビーズ                              ５    重量部
紺青                                          ０．１重量部
群青                                          ０．１重量部
赤色２０１号                                  ０．１重量部
赤色２０２号                                  ０．１重量部
黄色４号アルミニウムレーキ                    ０．１重量部
黄色４０１号                                  ０．１重量部
青色４０４号                                  ０．１重量部
黄色酸化鉄                                    ２．６重量部
ベンガラ                                      ２．２重量部
＊重量部の詳細は表３に記す。
【手続補正８】
【補正対象書類名】明細書
【補正対象項目名】００１５
【補正方法】変更
【補正の内容】
【００１５】
【表３】
1999343214.tif 000001
【手続補正９】
【補正対象書類名】明細書
【補正対象項目名】００１６
【補正方法】変更
【補正の内容】
【００１６】
＜実施例５＞以下に示す処方に従って、ファンデーション６を作製した。即ち、処方成分をダブルプラネタリーミキサーを用いて９０℃に加熱しながら、混合し、これをホットロールに２回かけ、金皿に充填し加温プレスし、ファンデーションを得た。このものを実施例３と同様に評価した。結果を表４に記す。これより、本発明のメークアップ化粧料が撮影用光源下好適であることがわかる。更に、ポリエチレン好ましい含有量は５〜１０重量％であることもわかる。尚、比較例９はポリエチレン含有量が少ないもの、比較例１０はポリエチレンが多いものである。
カルナウバワックス                            １．８重量部
ポリエチレン（平均重合度２５）＊＊
マイクロクリスタリンワックス（ＭＣ）＊＊
液状ラノリン                                  １．４重量部
セチルイソオクタネート                      ３９    重量部
ジメチコン（２０ｃ．ｓ．）                   １１    重量部
スクワラン                                    ３．７重量部
ソルビタンセスキオレート                      １．８重量部
二酸化チタン                                ２６．７重量部
黄色酸化鉄                                    ２．３重量部
ベンガラ                                      ２．２重量部
＊＊重量部は表４に記す。
注：比較例１０は不足分をセチルイソオクタネートで充足し、セチルイソオクタネートの含有量を３６．６重量部とした。（ＭＣは含有せず。）
【手続補正１０】
【補正対象書類名】明細書
【補正対象項目名】００１７
【補正方法】変更
【補正の内容】
【００１７】
【表４】
1999343214.tif 000002
【手続補正１１】
【補正対象書類名】明細書
【補正対象項目名】００１８
【補正方法】変更
【補正の内容】
【００１８】
＜実施例６＞以下に示す処方に従って、ファンデーションを作製した。即ち、処方成分をダブルプラネタリーミキサーを用いて９０℃に加熱しながら、混合し、これをホットロールに２回かけ、金皿に充填し加温プレスし、ファンデーション９を得た。このものは、撮影用光源下で優れた化粧効果を発揮したもののファンデーション１には及ばなかった。これより本発明の化粧料では、液体ラノリンを含有することが好ましいことがわかる。
カルナウバワックス                            １．８重量部
ポリエチレン（平均重合度２５）                ６．４重量部
マイクロクリスタリンワックス                  ３．９重量部
セチルイソオクタネート                      ３９．７重量部
ジメチコン（２０ｃ．ｓ．）                   １１    重量部
スクワラン                                    ３．７重量部
ソルビタンセスキオレート                      １．８重量部
二酸化チタン                                ２６．７重量部
黄色酸化鉄                                    ２．３重量部
ベンガラ                                      ２．２重量部
【手続補正１２】
【補正対象書類名】明細書
【補正対象項目名】００１９
【補正方法】変更
【補正の内容】
【００１９】
＜実施例７＞ファンデーション１を撮影用に用いられる各種照明、照度下で評価した。評価方法は実施例３の基準を用い、同様に行った。結果を表５に示す。これより本発明のメークアップ化粧料は、撮影用光源下でその化粧効果が適切に発揮されること、光源としては白熱灯が好適であることがわかる。